(57)【特許請求の範囲】
【請求項１】
円形のつむじ部用ベース部及び前記つむじ部用ベース部の周方向において間欠的に並べられるように前記つむじ部用ベース部に接続された複数のベース部とを含むかつらベースと、前記つむじ部用ベース部に取り付けられたつむじ部と、を有し、当該つむじ部から放射状に広がるように配置された複数の毛材を有するかつらであって、
前記複数の毛材のうち前記つむじ部よりも後側に配置されるように、前記複数のベース部のうち前記つむじ部用ベース部の後側において前記つむじ部用ベース部に接続された後側ベース部に配置された複数の毛材からなる後側毛材群は、それぞれが６０ｍｍ以下のカール径を有する複数の長毛材と、それぞれが各長毛材の長さよりも短い長さを有する複数の短毛材と、を含み、
各長毛材は、当該長毛材のカール径が３０ｍｍ以上で、かつ、前記つむじ部用ベース部の中心から当該長毛材の先端までの長さが１８０ｍｍ以上に設定され、
前記後側毛材群は、前記複数の長毛材がそれぞれ並ぶ複数の長毛材領域と、前記複数の短毛材がそれぞれ並ぶ複数の短毛材領域と、を有し、
前記つむじ部に対して前記複数の短毛材領域が前記複数の長毛材領域よりも相対的に外側に配置されるように、前記複数の短毛材領域及び前記複数の長毛材領域は交互に配置されている、かつら。
【請求項２】
円形のつむじ部用ベース部及び前記つむじ部用ベース部の周方向において間欠的に並べられるように前記つむじ部用ベース部に接続された複数のベース部とを含むかつらベースと、前記つむじ部用ベース部に取り付けられたつむじ部と、を有し、当該つむじ部から放射状に広がるように配置された複数の毛材を有するかつらであって、
前記複数の毛材のうち前記つむじ部よりも後側に配置されるように、前記複数のベース部のうち前記つむじ部用ベース部の後側において前記つむじ部用ベース部に接続された後側ベース部に配置された複数の毛材からなる後側毛材群は、それぞれが６０ｍｍ以下のカール径を有する複数の長毛材と、それぞれが各長毛材の長さよりも短い長さを有する複数の短毛材と、を含み、
各長毛材は、当該長毛材のカール径が３０ｍｍ以上で、かつ、前記つむじ部用ベース部の中心から当該長毛材の先端までの長さが１８０ｍｍ以上に設定され、
前記後側毛材群に含まれる全毛材の本数に対する、前記後側毛材群に含まれる前記短毛材の本数の割合である短毛材割合は、前記後側毛材群以外の毛材群における、当該毛材群に含まれる全ての毛材の本数に対する、当該毛材群の全ての毛材の平均の長さよりも短い長さを有する毛材の本数の割合である他の短毛材割合よりも、大きく設定されている、かつら。
【請求項３】
請求項２に記載のかつらにおいて、
前記後側毛材群に含まれる全毛材の本数に対する、前記後側毛材群に含まれる前記短毛材の本数の割合である前記短毛材割合は、０．２以上０．７以下である、かつら。
【請求項４】
請求項１ないし３のいずれかに記載のかつらにおいて、
前記後側毛材群に含まれる全毛材の本数に対する、カール径が３０ｍｍ以上６０ｍｍ以下に設定されている毛材の本数の割合であるカール毛材割合は、０．５以上である、かつら。
【請求項５】
請求項１ないし４のいずれかに記載のかつらにおいて、
前記つむじ部用ベース部の前記中心から前記かつらベースの縁部までの寸法が２０ｍｍ以上８０ｍｍ以下に設定されている、かつら。
【発明の詳細な説明】
【技術分野】
【０００１】
本発明は、かつらに関し、特に、カールした毛材を含むかつらに関する。
【背景技術】
【０００２】
従来、特許文献１に示されるように、頭頂部に装着するかつらにおいて、ボリュームを増やすために、カールした毛材を用いることが知られている。
【先行技術文献】
【特許文献】
【０００３】
【特許文献１】特開２０１３−３６１３４号公報
【発明の概要】
【発明が解決しようとする課題】
【０００４】
上記特許文献１に記載されるかつらでは、毛材のカール径が小さく、また、毛材の長さが比較的短い場合、当該かつらの装着時に、かつらの毛材と使用者の特に後頭部の毛髪との間に段差が生じ（かつらの毛材が使用者の後頭部の毛髪に対して浮き上がった状態となり）、不自然な外観となる。
【０００５】
本発明の目的は、ボリュームを確保することと、装着時における使用者の後頭部を自然な外観とすることと、の双方が可能なかつらを提供することである。
【課題を解決するための手段】
【０００６】
前記課題を解決するための手段として、本発明は、円形のつむじ部用ベース部及び前記つむじ部用ベース部の周方向において間欠的に並べられるように前記つむじ部用ベース部に接続された複数のベース部とを含むかつらベースと、前記つむじ部用ベース部に取り付けられたつむじ部と、を有し、当該つむじ部から放射状に広がるように配置された複数の毛材を有するかつらを提供する。かつらは、前記複数の毛材のうち前記つむじ部よりも後側に配置されるように、前記複数のベース部のうち前記つむじ部用ベース部の後側において前記つむじ部用ベース部に接続された後側ベース部に配置された複数の毛材からなる後側毛材群は、それぞれが６０ｍｍ以下のカール径を有する複数の長毛材と、それぞれが各長毛材の長さよりも短い長さを有する複数の短毛材と、を含んでいる。各長毛材は、当該長毛材のカール径が３０ｍｍ以上で、かつ、前記つむじ部用ベース部の中心から当該長毛材の先端までの長さが１８０ｍｍ以上に設定されている。前記後側毛材群は、前記複数の長毛材がそれぞれ並ぶ複数の長毛材領域と、前記複数の短毛材がそれぞれ並ぶ複数の短毛材領域と、を有している。前記つむじ部に対して前記複数の短毛材領域が前記複数の長毛材領域よりも相対的に外側に配置されるように、前記複数の短毛材領域及び前記複数の長毛材領域は交互に配置されている。
【０００７】
本かつらによれば、後側毛材群に十分なボリュームを確保することと、後頭部を自然な外観とすることと、を両立することができる。具体的に、長毛材のカール径が６０ｍｍ以下に設定されることによって、長毛材が有効に湾曲した状態となるため、十分なボリュームが確保され、しかも、長毛材のカール径が３０ｍｍ以上で、かつ、つむじ部から長毛材の先端までの長さが１８０ｍｍ以上に設定されることによって、長毛材が使用者の後頭部の毛髪に馴染みやすく（沿いやすく）なるため、各長毛材と後頭部の毛髪との間での段差の発生が抑制される。なお、カール径とは、平板上に毛材を載置したときの当該毛材の曲率半径を意味する。また、つむじ部から長毛材の先端までの長さは、長毛材を直線状に伸ばした状態でのつむじ部の中心から長毛材の先端までの長さを意味する。
【０００９】
また、上述のかつらは、後側毛材群の重量を大幅に増大させることなく後側毛材群に求められる一定のボリュームを確保することができる。具体的に、短毛材の剛性の方が長毛材の剛性よりも高いため、長毛材が短毛材により支持され、これにより、長毛材の傾倒が抑制される。このため、後側毛材群のボリュームが確保される。よって、長毛材のみで前記一定のボリュームを得る場合に比べ、大幅な重量増を伴うことなく後側毛材群に求められるボリュームを確保することができる。すなわち、後側毛材群の重量増（かつらの重心の後方への推移）を抑制しながら一定のボリュームが確保されるので、使用者の頭部からのかつらの脱落の抑制と、後側毛材群のボリュームの確保と、の双方が達成される。
【００１１】
また、本かつらの装着時に、短毛材領域に含まれる各短毛材が長毛材領域に含まれる各長毛材を下方から支持するので、後側毛材群の全体のボリュームをより効果的に増やすことができる。
【００１２】
本発明の他の局面に係るかつらは、円形のつむじ部用ベース部及び前記つむじ部用ベース部の周方向において間欠的に並べられるように前記つむじ部用ベース部に接続された複数のベース部とを含むかつらベースと、前記つむじ部用ベース部に取り付けられたつむじ部と、を有し、当該つむじ部から放射状に広がるように配置された複数の毛材を有する。かつらは、前記複数の毛材のうち前記つむじ部よりも後側に配置されるように、前記複数のベース部のうち前記つむじ部用ベース部の後側において前記つむじ部用ベース部に接続された後側ベース部に配置された複数の毛材からなる後側毛材群は、それぞれが６０ｍｍ以下のカール径を有する複数の長毛材と、それぞれが各長毛材の長さよりも短い長さを有する複数の短毛材と、を含んでいる。各長毛材は、当該長毛材のカール径が３０ｍｍ以上で、かつ、前記つむじ部用ベース部の中心から当該長毛材の先端までの長さが１８０ｍｍ以上に設定されている。前記後側毛材群に含まれる全毛材の本数に対する、前記後側毛材群に含まれる前記短毛材の本数の割合である短毛材割合は、前記後側毛材群以外の毛材群における、当該毛材群に含まれる全ての毛材の本数に対する、当該毛材群の全ての毛材の平均の長さよりも短い長さを有する毛材の本数の割合である他の短毛材割合よりも、大きく設定されている。
【００１３】
このようにすれば、毛材と使用者の毛髪との間の段差が特に目立ちやすい後頭部をより自然な外観とすることができる。具体的に、前記短毛材割合は、前記他の短毛材割合よりも大きいので、換言すれば、後側毛材群に含まれる全毛材の本数に対する長毛材の本数の割合は、他の毛材群における、当該毛材群に含まれる全ての毛材の本数に対する、当該毛材群の全ての毛材の平均の長さ以上の長さを有する毛材の本数の割合よりも小さいので、後側毛材群では、他の毛材群よりも、長毛材を使用者の毛髪に馴染ませやすくなる。よって、短毛材割合が他の短毛材割合よりも大きく設定されることによる後側毛材群のボリュームの確保と、後側毛材群の長毛材を使用者の後頭部の毛髪に馴染ませやすくなることによる段差の目立ちにくさと、が両立され、これにより後頭部がより自然な外観となる。
【００１４】
具体的に、前記短毛材割合は、０．２以上０．７以下であることが好ましい。
【００１５】
このようにすれば、上記効果がより顕著となる。具体的に、前記短毛材割合を０．２以上とすることにより、短毛材による長毛材の支持力、すなわち、長毛材のボリュームが十分に確保され、一方、前記短毛材割合を０．７以下とすることにより、長毛材の本数が少なくなりすぎることによる当該長毛材のボリューム不足が回避される。
【００１６】
また、本発明において、前記後側毛材群に含まれる全毛材の本数に対する、カール径が３０ｍｍ以上６０ｍｍ以下に設定されている毛材の本数の割合であるカール毛材割合は、０．５以上であることが好ましい。
【００１７】
このようにすれば、後側毛材群のボリュームが有効に確保されるため、後頭部がより自然な外観となる。
【００１８】
また、本発明において、前記複数の毛材が取り付けられるかつらベースを備え、前記かつらベースは、前記つむじ部を取り付けるためのつむじ部用ベース部を有し、前記つむじ部用ベース部の中心から前記かつらベースの縁部までの寸法が２０ｍｍ以上８０ｍｍ以下に設定されていることが好ましい。
【発明の効果】
【００１９】
以上のように、本発明によれば、ボリュームを確保することと、装着時における使用者の後頭部を自然な外観とすることと、の双方が可能なかつらを提供することができる。
【図面の簡単な説明】
【００２０】
【図１】本発明の一実施形態のかつらの概略図である。
【図２】長毛材ユニットの概略図である。
【図３】図１に示すかつらを装着した状態の模式図である。
【図４】比較例１のかつらを装着した状態の模式図である。
【図５】比較例２のかつらを装着した状態の模式図である。
【図６】比較例３のかつらを装着した状態の模式図である。
【発明を実施するための形態】
【００２１】
本発明の一実施形態のかつらについて、図１〜図２を参照しながら説明する。
【００２２】
図１に示されるように、本実施形態のかつらは、かつらベース１００と、つむじ部２００と、後側毛材群３００と、前側毛材群４００と、右側毛材群５００と、左側毛材群６００と、を有している。なお、前後及び左右の方向は、本かつらが使用者に装着されたときの当該使用者から見た方向である。
【００２３】
つむじ部２００、後側毛材群３００、前側毛材群４００、右側毛材群５００及び左側毛材群６００は、それぞれ、複数の毛材を含んでいる。なお、図１では、本かつらに含まれる毛材のうちの一部のみが示されている。本実施形態では、各毛材には、合成繊維からなる人工毛材が用いられている。具体的に、人工毛材は、ポリエステルからなる繊維により形成されている。ただし、人工毛材に用いられる合成繊維は、ポリエステルからなる繊維に限られない。例えば、人工毛材は、ポリ塩化ビニル系合成繊維、ポリアクリロニトリルやモダアクリル等のポリアクリロニトリル系合成繊維、ポリエチレン、ポリプロピレン、ポリブチレンまたはポリスチレン等のポリオレフィン系合成繊維、ナイロン等のポリアミド系合成繊維、ポリビニルアルコール系合成繊維、ポリ塩化ビニリデン系合成繊維、ポリエーテルエステル系合成繊維またはポリウレタン系合成繊維、またはアセテート等からなる繊維により形成されてもよい。また、毛材として、人毛が用いられてもよい。
【００２４】
かつらベース１００は、表面と裏面とを有するシート状の部材である。かつらベース１００には、つむじ部２００、後側毛材群３００、前側毛材群４００、右側毛材群５００及び左側毛材群６００が、それぞれ植設又は縫製等によって取り付けられる。具体的に、かつらベース１００は、つむじ部２００が取り付けられるつむじ部用ベース部１２０と、後側毛材群３００が取り付けられる後側ベース部１３０と、前側毛材群４００が取り付けられる前側ベース部１４０と、右側毛材群５００が取り付けられる右側ベース部１５０と、左側毛材群６００が取り付けられる左側ベース部１６０と、を有する。本実施形態では、かつらベース１００は、ナイロンからなる素材により網目状（メッシュ状）に形成されている。
【００２５】
つむじ部用ベース部１２０は、円形に形成されている。本実施形態では、つむじ部用ベース部１２０の半径は、２５ｍｍに設定されている。
【００２６】
後側ベース部１３０、前側ベース部１４０、右側ベース部１５０及び左側ベース部１６０は、それぞれ、つむじ部用ベース部１２０の外縁に接続されている。図１に示されるように、後側ベース部１３０、右側ベース部１５０、前側ベース部１４０及び左側ベース部１６０は、つむじ部用ベース部１２０の周方向に沿ってこの順に間欠的に並ぶように配置されている。具体的に、後側ベース部１３０は、つむじ部用ベース部１２０のうちの後側の部位（縁部）に接続されている。右側ベース部１５０は、つむじ部用ベース部１２０のうちの右側の部位に接続されている。前側ベース部１４０は、つむじ部用ベース部１２０のうちの前側の部位に接続されている。左側ベース部１６０は、つむじ部用ベース部１２０のうちの左側の部位に接続されている。後側ベース部１３０、前側ベース部１４０、右側ベース部１５０及び左側ベース部１６０は、それぞれ、つむじ部用ベース部１２０の径方向についてつむじ部用ベース部１２０から離間するにしたがって、つむじ部用ベース部１２０の周方向についての当該ベース部１３０〜１６０の寸法が次第に大きくなる扇形状を有している。
【００２７】
つむじ部用ベース部１２０の中心Ｏから前側ベース部１４０の外縁部までの寸法は、前記中心Ｏから後側ベース部１３０の外縁部までの寸法よりも大きく設定されている。また、前記中心Ｏから右側ベース部１５０の外縁部までの寸法は、前記中心Ｏから左側ベース部１６０の外縁部までの寸法と同じに設定されている。前記中心Ｏから各外縁部までのそれぞれの寸法は、２０ｍｍ以上８０ｍｍ以下に設定されることが好ましい。本実施形態では、前記中心Ｏから前側ベース部１４０の外縁部までの寸法は、５０ｍｍに設定されている。前記中心Ｏから後側ベース部１３０の外縁部までの寸法は、４０ｍｍに設定されている。前記中心Ｏから右側ベース部１５０の外縁部までの寸法は、５０ｍｍに設定されている。前記中心Ｏから左側ベース部１６０の外縁部までの寸法は、５０ｍｍに設定されている。
【００２８】
つむじ部２００は、つむじ部用ベース部１２０の表面（使用者の頭頂部と対向する面とは反対側の面）に縫製等によって取り付けられる。つむじ部２００は、つむじ部用基部２１２と、つむじ部用基部２１２に植設等により取り付けられた複数のつむじ用毛材２１４と、を有している。
【００２９】
つむじ部用基部２１２は、つむじ部用ベース部１２０よりも一回り小さな円形に形成されている。つむじ部用基部２１２は、ポリウレタンからなる部材で形成されている。
【００３０】
各つむじ用毛材２１４の長さは、５．５インチ（１３９．７ｍｍ）に設定されている。各つむじ用毛材２１４のカール径は、３８ｍｍに設定されている。なお、カール径とは、平板上に毛材を載置したときの当該毛材の曲率半径を意味する。このカール径は、同じ領域に配置された複数の（例えば２０本の）毛材のそれぞれのカール径の平均値で表される。このカール径を有する毛材は、当該カール径と同じ外径（本実施形態では３８ｍｍ）を有するパイプに毛材を巻き付けた状態で加熱処理することによって形成される。本かつらに用いられる他のカールした毛材についても、同様の方法で形成される。また、つむじ用毛材２１４の長さは、つむじ用毛材２１４を直線状に伸ばした状態での当該つむじ用毛材２１４の長さを意味する。本かつらに用いられる他のカールした毛材の長さについても、同様である。
【００３１】
本実施形態では、つむじ部用ベース部１２０の外縁に取り付けられた外縁毛材ユニット２２０と、外縁毛材ユニット２２０よりも内側に取り付けられた内側毛材ユニット（図示略）と、を有している。
【００３２】
外縁毛材ユニット２２０は、一方向に長い形状を有する外縁毛材用基部（図示略）と、外縁毛材用基部に取り付けられた複数の外縁毛材（図示略）と、を有している。外縁毛材用基部は、つむじ部用ベース部１２０の表面の外縁（図１に示されるラインＡ）に沿うように取り付けられる。各外縁毛材の長さは、５．５インチ（１３９．７ｍｍ）に設定されている。各外縁毛材のカール径は、３８ｍｍに設定されている。
【００３３】
内側毛材ユニット２３０は、一方向に長い形状を有する内側毛材用基部（図示略）と、内側毛材用基部に取り付けられた複数の内側毛材（図示略）と、を有している。内側毛材用基部は、つむじ部用ベース部１２０の裏面のうち、当該つむじ部用ベース部１２０の外縁よりも当該つむじ部用ベース部１２０の径方向の内側の部位に取り付けられている。内側毛材用基部は、つむじ部用ベース部１２０の周方向（図１に示されるラインＢ）に沿うように取り付けられる。各内側毛材の長さは、５インチ（１２７ｍｍ）に設定されている。各内側毛材のカール径は、３８ｍｍに設定されている。
【００３４】
後側毛材群３００は、長毛材ユニット３１０と、短毛材ユニット３２０と、を有している。
【００３５】
図２に示されるように、長毛材ユニット３１０（いわゆるみの毛）は、一方向に長い形状を有する長毛材用基部３１２と、長毛材用基部３１２に取り付けられた複数の長毛材３１４と、を有している。
【００３６】
複数の長毛材３１４は、長毛材用基部３１２の長手方向に沿って並ぶように長毛材用基部３１２に取り付けられている。各長毛材３１４のカール径は、３０ｍｍ以上６０ｍｍ以下に設定されることが好ましい。このカール径は、３０ｍｍ以上５０ｍｍ以下に設定されることがより好ましく、３５ｍｍ以上４５ｍｍ以下に設定されることがさらに好ましい。本実施形態では、各長毛材３１４のカール径は、３８ｍｍに設定されている。また、各長毛材３１４の長さは、７インチ（１７７．８ｍｍ）に設定されている。
【００３７】
短毛材ユニット３２０は、一方向に長い形状を有する短毛材用基部３２２と、短毛材用基部３２２に取り付けられた複数の短毛材３２４と、を有している。
【００３８】
複数の短毛材３２４は、短毛材用基部３２２の長手方向に沿って並ぶように短毛材用基部３２２に取り付けられている。各短毛材３２４のカール径は、３０ｍｍ以上６０ｍｍ以下に設定されることが好ましい。このカール径は、３０ｍｍ以上５０ｍｍ以下に設定されることがより好ましく、３５ｍｍ以上４５ｍｍ以下に設定されることがさらに好ましい。本実施形態では、各短長毛材３２４のカール径は、３８ｍｍに設定されている。また、各短毛材３２４の長さは、５．５インチ（１３９．７ｍｍ）に設定されている。
【００３９】
本実施形態では、長毛材ユニット３１０と短毛材ユニット３２０とは、径方向に沿って交互に並ぶように後側ベース部１３０に取り付けられている。具体的に、長毛材ユニット３１０と短毛材ユニット３２０とは、つむじ部用ベース部１２０から径方向の外側（後側）に向かってこの順に交互に並ぶように後側ベース部１３０に取り付けられている。
【００４０】
本実施形態では、後側毛材群３００における短毛材割合は、他の毛材群４００〜６００における他の短毛材割合よりも大きく設定される。前記短毛材割合は、後側毛材群３００に含まれる全毛材３１４，３２４の本数に対する、当該後側毛材群３００に含まれる短毛材３２４の本数の割合である。前記他の短毛材割合は、後側毛材群３００以外の各毛材群４００〜６００における、当該毛材群に含まれる全ての毛材の本数に対する、当該毛材群の全ての毛材の平均の長さよりも短い長さを有する毛材の本数の割合である。前記短毛材割合は、０．２〜０．７に設定されることが好ましく、０．２〜０．５に設定されることがより好ましい。本実施形態では、図１に示されるように、３つの長毛材ユニット３１０の長毛材用基部３１２が、それぞれラインＣに沿うように取り付けられており、２つの短毛材ユニット３２０の短毛材用基部３２２が、それぞれラインＡに沿うように取り付けられている。図１において実線で示される２つのラインＣ及び２つのラインＡは、後側ベース部１３０の表面に、つむじ部用ベース部１２０から径方向の外側に向かってこの順に等間隔で交互に並ぶように配置されている。図１において破線で示される破線ラインＣは、後側ベース部１３０の裏面（使用者の頭頂部と対向する面）に配置されている。つまり、２つの長毛材ユニット３１０及び２つの短毛材ユニット３２０は、後側ベース部１３０の表面に取り付けられ、１つの長毛材ユニット３１０は、後側ベース部１３０の裏面に取り付けられる。破線ラインＣは、径方向の最も外側に位置する最外ラインＡと後側ベース部１３０の厚さ方向に重なる位置に配置されるが、図１では、説明のために、破線ラインＣと最外ラインＡとがわずかに径方向にずれた位置に示されている。また、各ラインＣ，Ａは、周方向に沿うように湾曲する形状を有している。
【００４１】
ここで、つむじ部２００から各長毛材３１４の先端までの長さは、１８０ｍｍ以上に設定されることが好ましく、１９０ｍｍ以上に設定されることがさらに好ましい。なお、この長さは、長毛材３１４を直線状に伸ばした状態でのつむじ部２００の中心から長毛材３１４の先端までの長さを意味する。本実施形態では、つむじ部２００の中心（つむじ部用ベース部１２０の中心Ｏ）から各長毛材３１４の先端までの長さは、１９０ｍｍ以上に設定されている。すなわち、つむじ部用ベース部１２０の中心Ｏから径方向の最も内側に位置する最内ラインＣまでの距離は、１２．２ｍｍ以上に設定されている。
【００４２】
前側毛材群４００は、複数の前側毛材ユニット４１０を有している。各前側毛材ユニット４１０の構造は、長毛材ユニット３１０及び短毛材ユニット３２０の構造とほぼ同じである。すなわち、各前側毛材ユニット４１０は、前側毛材用基部４１２と、前側毛材用基部４１２に取り付けられた複数の前側毛材４１４と、を有している。本実施形態では、６つの前側毛材ユニット４１０が、つむじ部用ベース部１２０から径方向の外側（前側）に向かって間欠的に並ぶように前側ベース部１４０に取り付けられている。図１に示されるように、各前側毛材ユニット４１０の前側毛材用基部４１２は、それぞれラインＡに沿うように取り付けられている。図１において実線で示される５つの各ラインＡは、前側ベース部１４０の表面に、つむじ部用ベース部１２０から径方向の外側（前側）に向かって等間隔に並ぶように配置されている。図１において破線で示される破線ラインＡは、前側ベース部１４０の裏面（使用者の頭頂部と対向する面）に配置されている。つまり、５つの前側毛材ユニット４１０は、前側ベース部１４０の表面に取り付けられ、１つの前側毛材ユニット４１０は、前側ベース部１４０の裏面に取り付けられる。破線ラインＡは、前側ベース部１４０の表面に配置された各ラインＡのうち径方向の最も外側に位置する最外ラインＡと前側ベース部１４０の厚さ方向に重なる位置に配置されるが、図１では、説明のために、破線ラインＡと最外ラインＡとがわずかに径方向にずれた位置に示されている。また、各ラインＡは、周方向に沿うように湾曲する形状を有している。
【００４３】
また、本実施形態では、前側毛材４１４として、全て短毛材３２４と同じ毛材が用いられている。このため、本実施形態では、前側毛材群４００における短毛材割合（前側毛材群４００に含まれる全ての毛材の本数に対する、当該前側毛材群４００の全ての毛材の平均の長さよりも短い長さを有する毛材の本数の割合）は、ゼロである。
【００４４】
右側毛材群５００は、複数の右側毛材ユニット５１０を有している。各右側毛材ユニット５１０の構造は、前側毛材ユニット４１０の構造と同じである。すなわち、各右側毛材ユニット５１０は、右側毛材用基部５１２と、右側毛材用基部５１２に取り付けられた複数の右側毛材５１４（短毛材３２４と同じ毛材）と、を有している。つまり、右側毛材群５００における短毛材割合も、ゼロである。
【００４５】
本実施形態では、５つの右側毛材ユニット５１０が、つむじ部用ベース部１２０から径方向の外側（右側）に向かって間欠的に並ぶように右側ベース部１５０に取り付けられている。図１に示されるように、各右側毛材ユニット５１０の右側毛材用基部５１２は、それぞれラインＡに沿うように取り付けられている。図１において実線で示される４つのラインＡは、右側ベース部１５０の表面に、つむじ部用ベース部１２０から径方向の外側（右側）に向かって等間隔に並ぶように配置されている。図１において破線で示される破線ラインＡは、右側ベース部１５０の裏面（使用者の頭頂部と対向する面）に配置されている。つまり、４つの右側毛材ユニット５１０は、右側ベース部１５０の表面に取り付けられ、１つの右側毛材ユニット５１０は、右側ベース部１５０の裏面に取り付けられる。破線ラインＡは、右側ベース部１５０の表面に配置された各ラインＡのうち径方向の最も外側に位置する最外ラインＡと右側ベース部１５０の厚さ方向に重なる位置に配置されるが、図１では、説明のために、破線ラインＡと最外ラインＡとがわずかに径方向にずれた位置に示されている。また、各ラインＡは、周方向に沿うように湾曲する形状を有している。
【００４６】
左側毛材群６００は、つむじ部２００を基準として右側毛材群５００と対称な構造であるので、説明を省略する。
【００４７】
以上説明したように、本実施形態のかつらによれば、後側毛材群３００に十分なボリュームを確保することと、後頭部を自然な外観とすることと、を両立することができる。具体的に、長毛材３１４のカール径が６０ｍｍ以下に設定されることによって、長毛材３１４が有効に湾曲した状態となるため、後側毛材群３００に十分なボリュームが確保され、しかも、長毛材３１４のカール径が３０ｍｍ以上で、かつ、つむじ部２００から長毛材３１４の先端までの長さが１８０ｍｍ以上に設定されることによって、長毛材３１４が使用者の後頭部の毛髪に馴染みやすく（沿いやすく）なるため、各長毛材３１４と後頭部の毛髪との間での段差の発生が抑制される。
【００４８】
また、本実施形態では、後側毛材群３００は、複数の短毛材３２４を含んでいるので、後側毛材群３００の重量を大幅に増大させることなく後側毛材群３００に求められる一定のボリュームを確保することができる。具体的に、短毛材３２４の剛性の方が長毛材３１４の剛性よりも高いため、長毛材３１４が短毛材３２４により支持され、これにより、長毛材３１４の傾倒が抑制される。このため、後側毛材群３００のボリュームが確保される。よって、長毛材３１４のみで前記一定のボリュームを得る場合に比べ、大幅な重量増を伴うことなく後側毛材群３００に求められるボリュームを確保することができる。すなわち、後側毛材群３００の重量増（かつらの重心の後方への推移）を抑制しながら一定のボリュームが確保されるので、使用者の頭部からのかつらの脱落の抑制と、後側毛材群３００のボリュームの確保と、の双方が達成される。
【００４９】
また、本実施形態では、後側毛材群３００において、複数の短毛材３２４が並ぶ短毛材領域（後側ベース部１３０のラインＡが配置された領域）は、複数の長毛材３１４が並ぶ長毛材領域（後側ベース部１３０のラインＣが配置された領域）よりもつむじ部２００に対して外側（後側）に配置されている。このため、本かつらの装着時に、短毛材領域に含まれる各短毛材３２４が長毛材領域に含まれる各長毛材３１４を下方から支持するので、後側毛材群３００の全体のボリュームをより効果的に増やすことができる。
【００５０】
また、本実施形態では、短毛材割合（後側毛材群３００における短毛材割合）は、他の短毛材割合（前側毛材群４００における短毛材割合、右側毛材群５００における短毛材割合及び左側毛材群６００における短毛材割合）よりも、大きく設定されている。このため、毛材と使用者の毛髪との間の段差が特に目立ちやすい後頭部をより自然な外観とすることができる。具体的に、前記短毛材割合は、前記他の短毛材割合よりも大きいので、換言すれば、後側毛材群３００に含まれる全毛材の本数に対する長毛材３１４の本数の割合は、他の毛材群４００〜６００における、当該毛材群に含まれる全ての毛材の本数に対する、当該毛材群の全ての毛材の平均の長さ以上の長さを有する毛材の本数の割合よりも小さいので、後側毛材群３００では、他の毛材群４００〜６００よりも、長毛材３１４を使用者の毛髪に馴染ませやすくなる。よって、短毛材割合が他の短毛材割合よりも大きく設定されることによる後側毛材群３００のボリュームの確保と、後側毛材群３００の長毛材３１４を使用者の後頭部の毛髪に馴染ませやすくなることによる段差の目立ちにくさと、が両立され、これにより後頭部がより自然な外観となる。
【００５１】
さらに、前記短毛材割合は、０．２以上０．７以下であるため、上記効果がより顕著となる。具体的に、前記短毛材割合を０．２以上とすることにより、短毛材３２４による長毛材３１４の支持力、すなわち、長毛材３１４のボリュームが十分に確保され、一方、前記短毛材割合を０．７以下とすることにより、長毛材３１４の本数が少なくなりすぎることによる当該長毛材３１４のボリューム不足が回避される。
【００５２】
また、本実施形態では、後側毛材群３００に含まれる全ての毛材３１４，３２４がカール毛材（カール径が３０ｍｍ以上６０ｍｍ以下に設定されている毛材）であるため、後側毛材群３００のボリュームが有効に確保される。よって、後頭部がより自然な外観となる。
【００５３】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
例えば、上記実施形態では、後側毛材群３００に含まれる全ての毛材３１４，３２４がカール毛材である例、つまり、後側毛材群３００におけるカール毛材割合（後側毛材群３００に含まれる全毛材３１４，３２４の本数に対する、カール毛材の本数の割合）が１である例が示されたが、カール毛材割合は、０．５以上であれば、任意の値に設定されることが可能である。
【００５５】
また、前側毛材群４００における短毛材割合（前側毛材群４００に含まれる全ての毛材の本数に対する、当該前側毛材群４００の全ての毛材の平均の長さよりも短い長さを有する毛材の本数の割合）は、後側毛材群３００における短毛材割合よりも小さな値であれば、ゼロよりも大きな値に設定されてもよい。つまり、前側毛材群４００に用いられる各毛材が、相対的に長い毛材と相対的に短い毛材とを含んでいてもよい。このことは、右側毛材群５００及び左側毛材群６００についても同様である。
【００５６】
また、前側毛材群４００、右側毛材群５００及び左側毛材群６００に用いられる各毛材のカール径は、３０ｍｍ以上６０ｍｍ以下の値に限られない。また、これら毛材の長さは、５．５インチ（１３９．７ｍｍ）に限られない。
【００５７】
また、かつらベース１００の形状は、上記の例に限られない。例えば、後側ベース部１３０、前側ベース部１４０、右側ベース部１５０及び左側ベース部１６０が周方向に連続的につながる形状に、換言すれば、かつらベース１００が全体として円形ないし楕円形に形成されてもよい。
【００５８】
また、つむじ用基部２１２が省略され、複数のつむじ用毛材２１４がかつらベースに直接取り付けられることによってつむじ部が構成されてもよい。この場合、つむじ部は、そのかつらベースの重心（そのかつらベースの前端と後端とを結ぶ前後直線及び右端と左端とを結ぶ左右直線の交点）を中心とする半径１２．２ｍｍの円形の領域に取り付けられた毛材群を指す。そして、後側毛材群は、かつらベースが前記前後直線と前記左右直線とのなす角の２本の二等分線で４つの領域に区画されたときのつむじ部よりも後側の領域に取り付けられた毛材群を指す。
【実施例】
【００５９】
次に、図３〜図６を参照しながら、本発明の実施例について説明する。図３は、使用者が上記実施形態のかつらを装着した状態を模式的に示しており、図４〜図６は、それぞれ使用者が比較例のかつらを装着した状態を模式的に示している。
【００６０】
図３に示される実施例では、後側毛材群における各長毛材３１４のカール径が３８ｍｍであり、かつ、つむじ部２００の中心から当該長毛材３１４の先端までの長さが２０２．８ｍｍ以上に設定されている。図４に示される比較例１では、後側毛材群における各毛材のカール径が３８ｍｍであり、かつ、つむじ部２００の中心から当該毛材の先端までの長さが１００ｍｍに設定されている。図５に示される比較例２では、後側毛材群における各毛材のカール径が２５ｍｍであり、かつ、つむじ部２００の中心から当該毛材の先端までの長さが２０２．８ｍｍ以上に設定されている。図６に示される比較例３では、後側毛材群における各毛材のカール径が９０ｍｍであり、かつ、つむじ部２００の中心から当該毛材の先端までの長さが１００ｍｍに設定されている。
【００６１】
図４に示されるように、比較例１では、つむじ部２００の中心から毛材の先端までの長さが１８０ｍｍ未満である（短すぎる）ため、カール径が適切な値（３８ｍｍ）であるものの、後頭部の段差は目立ちやすくなった。
【００６２】
図５に示されるように、比較例２では、カール径が３０ｍｍ未満であるため、つむじ部２００の中心から毛材の先端までの長さが１８０ｍｍ以上確保されているものの、各毛材の後頭部の毛髪への馴染みが悪化し、さらに、一部の毛材が外ハネするため、後頭部の段差は目立ちやすくなった。
【００６３】
図６に示されるように、比較例３では、カール径が６０ｍｍ以上であり、各毛材が非常に緩やかに湾曲する程度である（各毛材が実質的に直毛と見なされる）ため、つむじ部２００の中心から毛材の先端までの長さが１８０ｍｍ未満であるものの、後頭部の段差は目立ちにくい。しかしながら、各毛材が有効に湾曲した形状ではないため、後頭部におけるボリュームが十分に確保されないことが確認された。
【００６４】
これに対し、図３に示されるように、本実施例では、長毛材３１４のカール径が６０ｍｍ以下に設定されることによって、長毛材３１４が有効に湾曲した状態となるため、後側毛材群に十分なボリュームが確保され、しかも、長毛材３１４のカール径が３０ｍｍ以上で、かつ、つむじ部２００の中心から長毛材３１４の先端までの長さが１８０ｍｍ以上に設定されることによって、長毛材３１４が使用者の後頭部の毛髪に馴染みやすく（沿いやすく）なるため、各長毛材３１４と後頭部の毛髪との間での段差の発生が抑制され、これにより後頭部が自然な外観となることが確認された。
【符号の説明】
【００６５】
１００    かつらベース
１２０    つむじ部用ベース部
１３０    後側ベース部
１４０    前側ベース部
１５０    右側ベース部
１６０    左側ベース部
２００    つむじ部
３００    後側毛材群
３１０    長毛材ユニット
３１２    長毛材用基部
３１４    長毛材
３２０    短毛材ユニット
３２２    短毛材用基部
３２４    短毛材
４００    前側毛材群
５００    右側毛材群
６００    左側毛材群
【図１】
0006624821.tif 000002
【図２】
0006624821.tif 000003
【図３】
0006624821.tif 000004
【図４】
0006624821.tif 000005
【図５】
0006624821.tif 000006
【図６】
0006624821.tif 000007